(57)【特許請求の範囲】
【請求項１】
チェーンと、チェーンの一端に設けるトグルと、チェーンの他端に設ける連結材と、からなり、
トグルは、チェーンの一端に挿通する長尺の折曲片と、折曲片に固定する固定片と、からなり、
トグルの折曲片は、中央を山状に折曲した折曲部と、折曲部の両端から同軸心状に突設した水平部と、を有する、
杭吊下治具。
【請求項２】
トグルの固定片の両端は、端部に向けて縮径していることを特徴とする、
請求項１に記載の杭吊下治具。
【請求項３】
連結材に取り付ける略楕円状の端部リングを有する、
請求項１又は２に記載の杭吊下治具。
【発明の詳細な説明】
【技術分野】
【０００１】
本発明は、杭打機に取り付けて使用する杭吊下治具に関する。
【背景技術】
【０００２】
山留め工事において、バイブロハンマを備えた杭打機によりＨ鋼杭やシートパイル等の山留め杭を把持し、バイブロハンマを動作させながら打設する工法（ＲＧ工法）が知られている。
このとき、山留め杭は、杭打機の先端に取り付けた山留め杭クランプ装置により把持する。
杭クランプ装置は山留め杭の上端を把持するが、そのためには一度、山留め杭を鉛直に立ち上げる必要がある。
【０００３】
山留め杭は、地面に横置きした状態で上端側となる端部に取り付けた吊下具を、地面近くまで降下させた山留め杭クランプ装置に連結し、山留め杭クランプ装置を上昇させることにより立ち上げる。
吊下具はワイヤーであり、山留め杭がＨ鋼杭の場合、Ｈ鋼杭のウェブと杭クランプ装置それぞれに設けた貫通孔にワイヤーを挿通することで、Ｈ鋼杭と杭クランプ装置を連結する。
【発明の概要】
【発明が解決しようとする課題】
【０００４】
従来の吊下具であるワイヤーは細いため、吊り下げ時に切断してしまうおそれがある。
また、貫通孔に挿通したワイヤーの端部を固定する作業が必要となる。
【０００５】
本発明は、容易にかつ安全に山留め杭を吊り下げることができる、杭吊下治具を提供することを目的とする。
【課題を解決するための手段】
【０００６】
上記目的を達成するためになされた本願発明は、チェーンと、チェーンの一端に設けるトグルと、チェーンの他端に設ける連結材と、からなり、トグルは、チェーンの一端に挿通する長尺の折曲片と、折曲片に固定する固定片と、からなり、トグルの折曲片は、中央を山状に折曲した折曲部と、折曲部の両端から同軸心状に突設した水平部と、を有する、杭吊下治具を提供する。
トグルの固定片の両端は、端部に向けて縮径していてもよい。
また、連結材に取り付ける略楕円状の端部リングを有してもよい。
【発明の効果】
【０００７】
本発明は、上記した課題を解決するための手段により、次のような効果の少なくとも一つを得ることができる。
（１）杭吊下治具はチェーンで構成されているため、ワイヤーのように吊り下げ時に切断することがなく、安全に山留め杭を吊り下げることができる。
（２）予め杭吊下治具を杭クランプ装置に取り付けておくことで、トグルを山留め杭の挿通孔に挿通するだけで、容易に山留め杭を吊り下げることができる。
（３）使用後は、トグルを挿通孔に通して抜くだけで、山留め杭から取り外すことができ、再利用することができる。
【図面の簡単な説明】
【０００８】
【図１】本発明に係る杭吊下治具の斜視図
【図２】トグルとＨ鋼杭の係合の説明図
【図３】Ｈ鋼杭を吊り下げた状態の説明図
【図４】Ｈ鋼杭を吊り下げる工程の説明図（１）
【図５】Ｈ鋼杭を吊り下げる工程の説明図（２）
【発明を実施するための形態】
【０００９】
以下、図面を参照しながら本発明の杭吊下治具を詳細に説明する。
【００１０】
［実施例１］
（１）全体構成
本発明の杭吊下治具は、チェーン１と、チェーン１の一端に設けるトグル２と、チェーン１の他端に設ける連結材３と、連結材３に取り付ける端部リング４と、からなる（図１）。
【００１１】
（２）トグル
トグル２は、チェーン１の一端に挿通する長尺の折曲片２１と、折曲片２１に固定する固定片２２と、からなる。
折曲片２１は、中央を山状に折曲した折曲部２１１と、折曲部２１１の両端から同軸心状に突設した水平部２１２と、を有する。
固定片２２は棒状の部材であり、折曲片２１をチェーン１に挿通した状態で、折曲片２１の水平部２１２に平行に溶接等により固定する。
固定片２２の両端は、端部に向けて縮径するように形成する。
【００１２】
（３）トグルとＨ鋼杭の係合
トグル２は、Ｈ鋼杭５のウェブ５１に設けた挿通孔５２に挿通する（図２、３）。
トグル２は、折曲片２１の折曲部２１１と固定片２２を合わせた高さＨを挿通孔の直径Ｄよりも低くすることで、挿通孔５２に挿通できる大きさとする。
そして、トグル２を挿通孔５２に挿通してウェブ５１と平行にすることにより、Ｈ鋼杭５と係合する。
トグル２の長さＬは挿通孔５２の直径Ｄよりも長く、Ｈ鋼杭５のウェブ５１の幅よりも短くする。
【００１３】
（４）連結材及び端部リング
チェーン１のトグル２と逆側の端部に、リング状の連結材３を取り付ける。
連結材３には略楕円状の端部リング４を設ける。
端部リング４は、杭クランプ装置７に固定した吊り具係合治具６の係止ロッド６１と係合する（図４）。
端部リング４を略楕円状にするとともに、連結材３をリング状とすることにより、吊り具係合治具６に対して、端部リング４、連結材３及びチェーン１の可動範囲を大きくでき、チェーン１の端部に取り付けたトグル２の可動範囲も大きくなる。
【００１４】
（５）Ｈ鋼杭の吊り下げ
Ｈ鋼杭５を地面に横置きした状態で、予め杭クランプ装置７に取り付けた杭吊下治具を地面近くまで降下させ、トグル２をＨ鋼杭５のウェブ５１の挿通孔５２に挿通する（図４）。
そして、そのまま杭クランプ装置７を上昇させることにより、トグル２が挿通孔５２と係合した状態でＨ鋼杭５が持ち上がり、Ｈ鋼杭５を吊り下げることができる（図３、５）。
本発明の杭吊下治具はチェーン１で構成されているため、ワイヤーのように吊り下げ時に切断することがなく、安全にＨ鋼杭５を吊り下げることができる。
また、予め杭吊下治具を杭クランプ装置７に取り付けておくことで、トグル２をＨ鋼杭５の挿通孔５２に挿通するだけで、容易にＨ鋼杭５を吊り下げることができる。
使用後は、トグル２を挿通孔５２に通して抜くだけで、Ｈ鋼杭５から取り外すことができ、再利用することができる。
なお、本実施例において、山留め杭をＨ鋼杭５としたが、挿通孔５２があれば、シートパイル等の他の山留め杭にも、本発明の杭吊下治具を適用することができる。
【符号の説明】
【００１５】
１      チェーン
２      トグル
２１    折曲片
２１１  折曲部
２１２  水平部
２２    固定片
３      連結材
４      端部リング
５      Ｈ鋼杭
５１    ウェブ
５２    挿通孔
６      吊り具係合治具
６１    係合ロッド
７      杭クランプ装置
【要約】
【課題】容易にかつ安全に山留め杭を吊り下げることができる、杭吊下治具を提供する。
【解決手段】チェーン１と、チェーン１の一端に設けるトグル２と、チェーン１の他端に設ける連結材３と、からなり、トグル２は、チェーン１の一端に挿通する長尺の折曲片２１と、折曲片２１に固定する固定片２２と、からなり、トグル２の折曲片２１は、中央を山状に折曲した折曲部２１１と、折曲部２１１の両端から同軸心状に突設した水平部２１２と、を有する、杭吊下治具。
【選択図】図１【図１】
0006811503.tif 000002
【図２】
0006811503.tif 000003
【図３】
0006811503.tif 000004
【図４】
0006811503.tif 000005
【図５】
0006811503.tif 000006